(57)【要約】本発明は、デジタル信号処理に基づいてオーディオ信号を出力する電子器具に関する。電子器具は、オーディオ信号を作業レベルとピークレベルのパラメータに関して監視し、かつオーディオ信号の作業レベルを自動的に調節するための少なくとも１つの手段を有している。本発明は、さらに、コンピュータプログラムとコンピュータ読み取り可能なメモリ媒体に関する。【選択図】図１
2009505123.tif 000002
【特許請求の範囲】
【請求項１】
デジタル信号処理に基づいて、オーディオ信号を出力する電子器具において、
電子器具が、オーディオ信号を作業レベルとピークレベルのパラメータに関して監視し、かつオーディオ信号の作業レベルを自動的に調節する少なくとも１つの手段を有していることを特徴とするオーディオ信号を出力する電子器具。
【請求項２】
前記少なくとも１つの手段が、作業レベルを自動的に調節するためにオーディオ信号が各時点で作業レベルとピークレベルのパラメータに関して監視されるように、形成されていることを特徴とする請求項１記載のオーディオ信号を出力する電子器具。
【請求項３】
前記少なくとも１つの手段が、作業レベルとピークレベルの監視が同時に実施されるように、形成されていることを特徴とする請求項１又は２記載のオーディオ信号を出力する電子器具。
【請求項４】
前記少なくとも１つの手段が、作業レベルとピークレベルの監視が恒久的に、および／またはオーディオ信号の作業レベルの自動的な調節が連続的に実施されるように、形成されていることを特徴とする請求項１〜３の何れかに記載のオーディオ信号を出力する電子器具。
【請求項５】
電子器具が、オーディオ信号の出力をコントロールする第１の機能ユニット（１）と、ピークレベルをコントロールする第２の機能ユニット（２）を有していることを特徴とする請求項１〜４の何れかに記載のオーディオ信号を出力する電子器具。
【請求項６】
前記第１の機能ユニット（１）が、オーディオ信号のレベルを求める少なくとも１つの第１のサブ機能ユニット（３）、オーディオ信号のレベルを制御する少なくとも１つの第２のサブ機能ユニット（４）およびオーディオ信号の過渡的な部分を制御する少なくとも１つの第３のサブ機能ユニット（５）を有しており、その場合に第１のサブ機能ユニット（３）の信号入力が第１の機能ユニット（１）の信号入力と、第１のサブ機能ユニット（３）の信号出力が第２のサブ機能ユニット（４）の信号入力および第３のサブ機能ユニット（５）の信号入力と、第３のサブ機能ユニット（５）の信号出力が第２のサブ機能ユニット（４）の信号入力と、そしてそれぞれ第２（４）と第３のサブ機能ユニット（５）の信号出力が第１の機能ユニット（１）の信号出力と接続されていることを特徴とする請求項５記載のオーディオ信号を出力する電子器具。
【請求項７】
データ処理装置のメモリにロードされた後に、データ処理装置に、デジタル信号処理に基づいてオーディオ信号の出力を実施することを可能にし、その場合にオーディオ信号の作業レベルとピークレベルが同時に監視されて、オーディオ信号の作業レベルが自動的に調節されることを特徴とするコンピュータプログラム。
【請求項８】
プログラムが記憶されている、コンピュータ読み取り可能なメモリ媒体であって、前記プログラムは、データ処理装置のメモリにロードされた後に、データ処理装置に、デジタル信号処理に基づいてオーディオ信号の出力を実施することを可能にし、その場合にオーディオ信号の作業レベルとピークレベルが同時に監視されて、オーディオ信号の作業レベルが自動的に調節されることを特徴とするコンピュータ読み取り可能なメモリ媒体。
【発明の詳細な説明】
【技術分野】
【０００１】
本発明は、特にラジオおよびテレビ領域の音響スタジオとテレビスタジオにおいても、ラジオとテレビのためのケーブル供給ステーションとサテライトアップリンクステーションにおける音響編集においても適用可能な、デジタル信号処理に基づいてオーディオ信号を出力する電子器具および対応するコンピュータプログラムと対応するコンピュータ読み取り可能なメモリ媒体に関する。
【背景技術】
【０００２】
これまで、この種の目的のためには、実質的に自動的なレベル制御（ＡＧＣ＝Ａｕｔｏｍａｔｉｃ Ｇａｉｎ Ｃｏｎｔｒｏｌ（自動利得制御））と制限ユニット（Ｌｉｍｉｔｅｒ，Ｃｌｉｐｐｅｒ（リミッター、クリッパー））を有する器具が使用されていた。その場合には、ＡＧＣとクリッパー機能によるオーディオ信号の好ましくない変化を考慮に入れなければならない。
【発明の開示】
【発明が解決しようとする課題】
【０００３】
従って本発明の課題は、オーディオ信号の好ましくない変化を回避し、特にオーディオ信号の出力を恒久的にコントロールする、オーディオ信号を出力する電子器具および対応するコンピュータプログラムと対応するコンピュータ読み取り可能なメモリ媒体を提供することである。
【課題を解決するための手段】
【０００４】
この課題は、本発明によれば、請求項１、７及び８に記載の発明によって解決される。また、本発明の好ましい形態が、下位請求項に記載されている。
【０００５】
本発明に基づく電子器具の特別な利点は、作業レベルに関してオーディオ信号のための好ましくない影響なしで、比較的長い期間にわたる信号のレベルも、オーディオ信号の過渡的な部分のレベルもコントロールすることができることにある。これは、デジタル信号処理に基づいてオーディオ信号を出力するために、電子器具が使用され、その電子器具が、作業レベルとピークレベルのパラメータに関してオーディオ信号を監視し、かつオーディオ信号の作業レベルを自動的に調節するための少なくとも１つの手段を有していることによって、達成される。
【０００６】
本発明に基づく電子器具の好ましい実施形態においては、少なくとも１つの手段は、作業レベルを自動的に調節するために、オーディオ信号が各時点で作業レベルとピークレベルのパラメータに関して監視されるように、形成されている。好ましくは作業レベルとピークレベルの監視は、同時に実施される。その代りに、あるいはそれに加えて、少なくとも１つの手段は、作業レベルとピークレベルの監視が恒久的に、および／またはオーディオ信号の作業レベルの自動的な調節が連続的に実施されるように、形成されている。
【０００７】
オーディオ信号を出力する器具の他の好ましい実施形態において、器具は、オーディオ信号の出力をコントロールするための第１の機能ユニット（オーディオレベラー）と、ピークレベルをコントロールするための第２の機能ユニット（ブリックウォールリミッター）とを有している。
【０００８】
さらに、第１の機能ユニットが、オーディオ信号のレベルを求めるための少なくとも１つの第１のサブ機能ユニット（レベル検出器）、オーディオ信号のレベルを制御するための少なくとも１つの第２のサブ機能ユニット（自動利得制御）およびオーディオ信号の過渡的な部分を制御する少なくとも１つの第３のサブ機能ユニット（過渡プロセッサ）を有していると、好ましいことが明らかにされており、その場合に第１のサブ機能ユニットの信号入力が第１の機能ユニット（オーディオレベラー）の信号入力と、第１のサブ機能ユニットの信号出力が第２のサブ機能ユニットの信号入力および第３のサブ機能ユニットの信号入力と、第３のサブ機能ユニットの信号出力が第２のサブ機能ユニットの信号入力と、そしてそれぞれ第１および第３のサブ機能ユニットの信号出力が、第１の機能ユニット（オーディオレベラー）の信号出力と接続されている。特に第２と第３の２つのサブ機能ユニット、自動利得制御と過渡プロセッサの回路配置によって、オーディオ信号のレベルも、オーディオ信号の過渡部分のレベルも、同時にコントロールすることが可能になる。
【０００９】
ハードウェア内で実施される、オーディオ信号の作業レベルとピークレベルの監視およびオーディオ信号の作業レベルの自動的な調節の代わりに、オーディオ信号を出力するためにコンピュータプログラムを使用することも可能であって、そのコンピュータプログラムは、データ処理装置のメモリにロードされた後に、たとえばプロセッサのような、データ処理装置に、デジタル信号処理に基づいてオーディオ信号を出力することを可能にし、その場合にオーディオ信号の作業レベルとピークレベルが同時に監視され、かつオーディオ信号の作業レベルが自動的に調節される。
【００１０】
この種の本発明に基づくコンピュータプログラムは、たとえば、（料金と引替えまたは無料、自由にアクセス可能またはパスワード保護で）ダウンロード可能に、データ網または通信網内で準備することができる。このようにして準備されたコンピュータプログラムは、手続によって利用できるようにすることができ、その手続において請求項６に記載のコンピュータプログラムが、電子的なデータ網から、たとえばインターネットから、データ網に接続されたデータ処理装置へダウンロードされる。
【００１１】
オーディオ信号を出力するために、好ましくは、コンピュータ読み取り可能なメモリ媒体が準備され、そのメモリ媒体上にプログラムが記憶されており、そのプログラムは、データ処理装置のメモリにロードされた後に、データ処理装置に、デジタル信号処理に基づいてオーディオ信号を出力することを可能にし、その場合にオーディオ信号の作業レベルとピークレベルが同時に監視されて、オーディオ信号の作業レベルが自動的に調節される。
【発明の効果】
【００１２】
本発明によると、オーディオ信号の好ましくない変化を回避し、特にオーディオ信号の出力を恒久的にコントロールする、オーディオ信号を出力する電子器具および対応するコンピュータプログラムと対応するコンピュータ読み取り可能なメモリ媒体を提供することができる。
【発明を実施するための最良の形態】
【００１３】
以下、オーディオ信号を出力するための本発明に基づく器具の例をブロック回路図で示す、唯一の図を用いて、本発明を詳細に説明する。
【００１４】
器具は、オーディオ信号の出力をコントロールするための第１の機能ユニット１（オーディオレベラー）とそれに続く、ピークレベルをコントロールするための第２の機能ユニット２（ブリックウォールリミッター）を有している。従って処理すべきオーディオ信号のレベルは、２つの機能ユニット１、２によって恒久的にコントロールされる。サブ機能（ユニット）ＡＧＣ４と過渡プロセッサ５が、共通のサブ機能（ユニット）レベル検出器３を扱う。３つのサブ機能ユニット３、４および５は、好ましくはハードウェアとして形成されている。しかしその代わりに、３つのサブ機能を、ソフトウェア解決として形成することも可能である。
【００１５】
オーディオレベラー１の本発明に基づく装置によって、初めて、比較的長い期間にわたる信号のレベルも、オーディオ信号の過渡的な部分のレベルも、同時かつ恒久的に、そして作業レベルに関するオーディオ信号のための好ましくない効果なしで、コントロールすることが、可能になる。後続のブリックウォールリミッター２が、発生するオーディオ信号のピークレベルを、歪みなしかつ調節されたリミッターしきい値を上回ることなしに、制限する。
【００１６】
オーディオレベラー１、ブリックウォールリミッター２ないしサブ機能、レベル検出器３、ＡＧＣ４および過渡プロセッサ５の作業方法は、機能の簡単な利用を可能にする、自動的な適合アルゴリズムを特徴としている。
【００１７】
本発明は、上述した機能ユニット１（オーディオレベラー）と２（ブリックウォールリミッター）を利用しながら、本発明の枠を逸脱することなしに、種々の仕様の器具において利用することができる。
【図面の簡単な説明】
【００１８】
【図１】オーディオ信号を出力するための本発明に基づく器具の例を示すブロック回路図
【符号の説明】
【００１９】
１：オーディオ信号の出力をコントロールする第１の機能ユニット、オーディオレベラー
２：ピークレベルをコントロールする第２の機能ユニット、ブリックウォールリミッター
３：オーディオ信号のレベルを求める第１のサブ機能ユニット、レベル検出器
４：オーディオ信号のレベルを制御する第２のサブ機能ユニット、自動利得制御（ＡＧＵ）
５：オーディオ信号の過渡部分を制御する第３のサブ機能ユニット、過渡プロセッサ
【図１】
2009505123.tif 000003
【国際調査報告】
2009505123.tif 000004
2009505123.tif 000005
2009505123.tif 000006
2009505123.tif 000007
2009505123.tif 000008
2009505123.tif 000009